(57)【要約】銃器前部のスリングスタッドにバイポッドを結合するための接合部である。接合部は、スリングスタッドを解放又は把持するために旋回する２つの歯止めを含むことができる。歯止めは、ピボットホルダー内の垂直開口内に乗る戻り止めを介して上方に付勢され得る。ピボットホルダーは、接合部の取付プレート内の垂直開口内で上下に動くことができ、この動きを介して、歯止めは強制的に開放又は閉鎖され得る。一方又は両方の歯止めの底面は、取付プレート内の開口内のピボットホルダーの垂直位置に応じて、戻り止めの頂部と接続する不規則な表面の異なる部分を含むことができる。
2021524573.tif 000002
【特許請求の範囲】
【請求項１】
バイポッドアセンブリであって、
ピボットホルダーを受け入れるように形成された垂直開口を有する銃器前床接続部であって、前記ピボットホルダーは、前記銃器前床接続部内の垂直開口により垂直方向に滑動するように形成されている銃器前床接続部と、
互いに連結され、ピボットピンを介して前記ピボットホルダーに回動自在に連結された２つの歯止めと、
前記ピボットホルダーに螺合可能に連結され、且つ回転を介して前記ピボットホルダーを垂直方向に動かすように構成されたスリングスタッド係止機構と、
を備え、
前記ピボットホルダーの上方垂直移動によって前記２つの歯止めが開き、前記ピボットホルダーの下方垂直移動によって２つの歯止めが閉じる、
バイポッドアセンブリ。
【請求項２】
前記２つの歯止めのうちの少なくとも１つは、前記ピボットピンからの第１の半径において爪部を有し、
戻り止めは、前記ピボットホルダー内の前記垂直開口内に少なくとも部分的に配置され、
付勢部品は、前記垂直開口内及び前記戻り止めの下に配置され、前記戻り止めの下面を付勢するように配置される、請求項１記載のバイポッドアセンブリ。
【請求項３】
前記スリングスタッド係止機構が第１の方向に回転されると、前記ピボットホルダー、戻り止め、及びピボットピンは、上方に移動し、前記戻り止めの頂部と前記歯止めの少なくとも１つの不規則な底面との相互作用を介して、両方の歯止めが上方に押し上げられ、開位置に向かって外方に旋回する、請求項２に記載のバイポッドアセンブリ。
【請求項４】
前記２つの歯止めのうちの少なくとも１つは、ピボットピンからの第１の半径において爪部を有し、
戻り止めは、ピボットホルダーの垂直開口内に少なくとも部分的に配置され、
付勢部品は、前記垂直開口内であって前記戻り止めの下に配置され、前記戻り止めの下面を付勢するように配置される、請求項１記載のバイポッドアセンブリ。
【請求項５】
前記スリングスタッド係止機構が第１の方向に回転されると、前記ピボットホルダー、戻り止め、及びピボットピンは、上方に移動し、前記戻り止めの頂部と前記歯止めの少なくとも１つの不規則な底面との相互作用を介して、両方の歯止めが上方に押し上げられ、開位置に向かって外方に旋回する、請求項４に記載のバイポッドアセンブリ。
【請求項６】
前記スリングスタッド係止機構が第１の方向に回転されると、前記ピボットホルダー、戻り止め、及びピボットピンは、上方に移動し、前記戻り止めの頂部と前記歯止めの少なくとも１つの不規則な底面との相互作用を介して、両方の歯止めが上方に押し上げられ、開位置に向かって外方に旋回する傾向がある、請求項１に記載のバイポッドアセンブリ。
【請求項７】
前記歯止めの一方又は両方が、不規則な底面を含む、請求項１に記載のバイポッドアセンブリ。
【請求項８】
前記不規則な底面は、爪部と溝部とを含む、請求項７に記載のバイポッドアセンブリ。
【請求項９】
前記爪部は、前記ピボットピンからの第１の半径において、前記溝部は、前記ピボットピンからの第２の半径において、前記第１の半径は、前記第２の半径よりも大きい、請求項８に記載のバイポッドアセンブリ。
【請求項１０】
銃器アセンブリであって、
前床を有する銃器と、
前記前床の下面に接続するように構成され、ピボットホルダーを受け入れるように形成された垂直開口を有する銃器前床接続部であって、前記ピボットホルダーは、前記銃器前床接続部の垂直開口内で垂直方向に滑動するように形成されている銃器前床接続部と、
互いに連結され、ピボットピンを介して前記ピボットホルダーに回動自在に連結された２つの歯止めと
前記ピボットホルダーに螺合可能に連結され、且つその回転を介して前記ピボットホルダーを垂直方向に動かすように構成されたスリングスタッド係止機構と、
を備え、
前記垂直開口内におけるピボットホルダーの第１の方向への移動によって、前記２つの歯止めが開き、前記垂直開口内におけるピボットホルダーの第２の方向への移動によって、前記２つの歯止めが閉じる、
銃器アセンブリ。
【請求項１１】
前記２つの歯止めのうちの少なくとも１つは、前記ピボットピンからの第１の半径における爪部を有し、
戻り止めは、前記ピボットホルダーの前記垂直開口内に少なくとも部分的に配置され、
付勢部品は、前記垂直開口内及び前記戻り止めの下に配置され、前記戻り止めの下面を付勢するように配置される。
請求項１０記載の銃器アセンブリ。
【請求項１２】
前記スリングスタッド係止機構が第１の方向に回転されると、前記ピボットホルダー、戻り止め、及びピボットピンは、上方に移動し、前記戻り止めの頂部と前記歯止めの少なくとも１つの不規則な底面との相互作用を介して、両方の歯止めが上方に押し上げられ、開位置に向かって外方に旋回する、請求項１１に記載の銃器アセンブリ。
【請求項１３】
前記２つの歯止めのうちの少なくとも１つは、前記ピボットピンからの第１の半径において爪部を有し、
戻り止めは、前記ピボットホルダーの垂直開口内に少なくとも部分的に配置され、
付勢部品は、前記垂直開口内であって前記戻り止めの下に配置され、前記戻り止めの下面を付勢するように配置される、請求項１０記載の銃器アセンブリ。
【請求項１４】
前記スリングスタッド係止機構が第１の方向に回転されると、前記ピボットホルダー、戻り止め、及びピボットピンは、上方に移動し、前記戻り止めの頂部と前記歯止めの少なくとも１つの不規則な底面との相互作用を介して、両方の歯止めが上方に押し上げられ、開位置に向かって外方に旋回する、請求項１３に記載の銃器アセンブリ。
【請求項１５】
前記スリングスタッド係止機構が第１の方向に回転されると、前記ピボットホルダー、戻り止め、及びピボットピンは、上方に移動し、前記戻り止めの頂部と前記歯止めの少なくとも１つの不規則な底面との相互作用を介して、両方の歯止めが上方に押し上げられ、開位置に向かって外方に旋回する、請求項１０に記載の銃器アセンブリ。
【請求項１６】
前記歯止めの一方又は両方が、不規則な底面を含む、請求項１０に記載の銃器アセンブリ。
【請求項１７】
前記不規則な底面は、爪部と溝部とを含む、請求項１６に記載の銃器アセンブリ。
【請求項１８】
前記爪部は、前記ピボットピンからの第１の半径において、前記溝部は、前記ピボットピンからの第２の半径において、前記第１の半径は、前記第２の半径よりも大きい、請求項１７に記載の銃器アセンブリ。
【発明の詳細な説明】
【技術分野】
【０００１】
（３５Ｕ．Ｓ．Ｃ．§１１９に基づく優先権の主張） 
本出願は、２０１９年４月１７日出願のスリングスタッドマウント付バイポッド（ＢＩＰＯＤ  ＷＩＴＨ  ＳＬＩＮＧ  ＳＴＵＤ  ＭＯＵＮＴ）と題する仮出願第６２／８３５，３３３号に優先権を主張し、本明細書の譲受人に譲渡され、本明細書に明示的に組み込まれる。
【０００２】
本開示は、全般的に、バイポッド（ｂｉｐｏｄ）に関する。特に、制限としてではないが、本開示は、銃器（ｆｉｒｅａｒｍ）のスリングスタッドマウント（ｓｌｉｎｇ  ｓｔｕｄ  ｍｏｕｎｔ）に結合するように構成されたバイポッドのためのシステム、方法、及び装置に関する。
【背景技術】
【０００３】
特に小銃のような近代的な銃器は、銃器が銃身を支持し、安定させるためのバイポッド装置を装備している場合、より正確かつ簡便に、シューターによって発射され得る。バイポッドは、銃器に固定的に又は着脱可能に装着されることがあり、使用されていないときにさらに収納位置に収納することができる場合には、最も便利であることが判明している。例示的なバイポッド及び装着装置は、先行の特許文献１〜６で教示されている。これらの特許文献の開示内容の全体が参照により本明細書に組み込まれている。
【先行技術文献】
【特許文献】
【０００４】
【特許文献１】米国特許第３，３２７，４２２号公報
【特許文献２】米国特許第４，４７０，２１６号公報
【特許文献３】米国特許第４，６２５，６２０号公報
【特許文献４】米国特許第４，６４１，４５１号公報
【特許文献５】米国特許第４，９０３，４２５号公報
【特許文献６】米国特許第５，７１１，１０３号公報
【特許文献７】米国特許第７，７７９，５７２号公報
【特許文献８】米国特許第１０，１６１，７０６号公報
【特許文献９】米国特許第１０，１６８，１１９号公報
【０００５】
既存のバイポッドは、Ｍ−ＬＯＫ、ＮＡＴＯレール（Ｎａｔｏ  Ｒａｉｌ）、ピカティニーレール（Ｐｉｃａｔｉｎｎｙ  Ｒａｉｌ）、及びスリングスタッド（ｓｌｉｎｇ  ｓｔｕｄ）を含む多数の接合部（ｉｎｔｅｒｆａｃｅ）を介して銃器に取り付けられる。ハリスバイポッド（Ｈａｒｒｉｓ  Ｂｉｐｏｄ）は、スリングスタッドに取り付ける非常に一般的なバイポッドの１つであるが、細心の注意が必要であり、取り付けが難しい傾向がある。従って、バイポッドをスリングスタッドに取り付けるより簡単でより安全な方法、及びより迅速で且つ装着ミスを受けにくい方法が必要とされている。
【発明の概要】
【０００６】
以下では、本明細書に開示される１つ以上の態様及び／又は実施形態に関連する簡略化された発明の概要を提示する。そのように、以下の要約は、意図された全ての態様及び／又は実施形態に関連する広範な概観と考えてはならない。また、意図された全ての態様及び／又は実施形態に関連する重要な要素を特定するため、又は、任意の特定の態様及び／又は実施形態に関連する範囲を描写するために、以下の要約を考慮してはならない。従って、以下の要約は、本明細書に開示される機構に関連する１つ以上の態様及び／又は実施形態に関する特定の概念を、以下に提示される詳細な説明に先行するように簡略化された形で提示することのみを目的とする。
【０００７】
本開示は、一般に、スリングスタッド（又はスリングスイベルスタッド）用のバイポッド−銃器の接続部（ｉｎｔｅｒｆａｃｅ）に関する。より具体的には、制限されるものではないが、本開示は銃器前床接続部（ｆｉｒｅａｒｍ  ｆｏｒｅｎｄ  ｉｎｔｅｒｆａｃｅ）を有するバイポッドに関し、銃器のスリングスタッドを把持するために開閉するスプリング付勢された歯止め（ｓｐｒｉｎｇ−ｌｏａｄｅｄ  ｐａｗｌｓ）を任意に含み、これらの歯止めが開位置に向かって付勢され、スリングスタッド留め具アセンブリ（ｓｌｉｎｇ  ｓｔｕｄ  ｃｌａｓｐ  ａｓｓｅｍｂｌｙ）の開閉が、スリングスタッド留め具アセンブリに連結されたスリングスタッド係止機構の回転によってもたらされる。スリングスタッド留め具アセンブリは、取付プレート内の開口（ａｐｅｒｔｕｒｅ）から部分的に上方に通過するように、前記開口の下方に配置することができる。スリングスタッド係止機構は、銃器前床接続部の下方に配置することができ、場合によっては、スリングスタッド留め具アセンブリにねじ切り関係を有する回転ノブを含むことができる。より具体的には、スリングスタッド留め具アセンブリは、旋回軸上で旋回するスプリング付勢された歯止めを有することができる。ピボット軸はピボットホルダー内に保持することができ、前記ピボットホルダーは回転ノブの内側ネジ部に螺合結合が可能であって、その下部に外側ネジ部を有する。従って、回転ノブが第１の方向に回転されると、ピボットホルダーは、回転ノブ及び取付プレートに対して下方に引っ張られ、その結果、ピボット軸及びスプリング付勢された歯止めも回転ノブ及び取付プレートに対して下方に引っ張られる。スプリング付勢された歯止めが取付プレート内の開口を通して下方に引っ張られると、それらは内側に押圧され、スリングスタッド上で旋回又は閉じることができ、それによってスリングスタッドが保持され、バイポッド−銃器の接続部（例えば、図１０〜１１参照）にロックすることができる。回転ノブを第２の方向に回転させると、スリングスタッド留め具アセンブリが上方に押し上げられ、スプリング付勢された歯止めが取付プレートの開口部の頂部から離れるにつれて外側に旋回することができる。ピボットホルダー及び回転ノブは、同じくスリングスタッドの中心を通る垂直軸の周りに同心円状に配置することができる（言い換えれば、回転ノブ及びピボットホルダーは、スリングスタッドと共通軸に沿って配列されている）。
【０００８】
銃器前床接続部は、それ自体のスリングスタッド、例えば、銃器前床接続部の後部から後方に延びるものを有することができる。このようなバイポッドのスリングスタッドは、銃器の前床スリングスタッドがバイポッドの取り付けに使用され、スリング又は他の付属品の取り付けには使用できないので、ユーザーがスリングスタッドを利用することを可能にする。
【０００９】
全般的に、バイポッドは、２つの脚アセンブリ（ｔｗｏ  ｌｅｇ  ａｓｓｍｂｌｉｅｓ）が取り付けられた筐体を含むことができる。筐体は、旋回ロッド（ｐｉｖｏｔ  ｒｏｄ）を通過する開口部を含むことができ、旋回ロッドは、筐体の下方に配置された固定ノブに螺合した結合部を有し、固定ノブを旋回させると、旋回ロッドは、旋回ロッド及び筐体を通過する縦軸に沿って、旋回ロッドが上下に移動する。旋回ロッドの頂部は、管状の形状であって垂直軸に垂直な縦軸を有する傾斜ナット（ｃａｎｔ  ｎｕｔ）に結合することができる。銃器前床接続部は、傾斜ナットと同様の形状を有する開口部、及び銃器前床接続部内のこの開口部内に配置された傾斜ナットを含むことができる。銃器前床接続部は、銃器前床接続部に取り付けられた銃器を傾けられるように、傾斜ナットの周りで回転又は傾斜することができる。ピボットブロックは、筐体と銃器前床接続部との間に配置することができ、筐体の上方で旋回することができる。ピボットブロックは、凹状の中空部を含むことができ、固定ノブが締められると、ピボットブロック及び銃器前床接続部が一体となって旋回するように、銃器前床接続部の底部の一部は、前記凹状の中空部内で静止するように形成される。固定ノブの回転は、傾斜ナットを押し、それによって、銃器前床接続部を上下に押して、小銃器前床接続部をピボットブロック内の凹部中空内に固定又は開放する。銃器前床接続部は、Ｍ−ＬＯＫ、ピカティニーレール、及びＮＡＴＯレールのような、しかしこれに限定されないが、様々な既知であるが既知の付属品の接続部に適合するように形作ることができる。
【００１０】
開示のいくつかの実施形態は、銃器前床接続部と、ピボットホルダーと、２つの歯止めと、スリングスタッド係止機構とを備えるバイポッドアセンブリとして特徴付けられてもよい。銃器前床接続部は、ピボットホルダーを受け入れるように形成された垂直開口（ｖｅｒｔｉｃａｌ  ａｐｅｒｔｕｒｅ）を有することができる。ピボットホルダーは、銃器前床接続部内の垂直開口により垂直方向に摺動可能に移動する形状とすることができる。２つの歯止めは、互いに回動自在に連結され、ピボットピンを介してピボットホルダーに回動自在に連結され得る。スリングスタッド係止機構は、ピボットホルダーに螺合結合することができ、スリングスタッド係止機構の回転を介してピボットホルダーの垂直方向の動きを生じさせるように構成することができる。ピボットホルダーの上向きの垂直方向の動きは、２つの歯止めを開くようにできる一方、ピボットホルダーの下向きの垂直方向の動きは、２つの歯止めを閉じるようにすることができる。
【００１１】
開示の他の実施形態は、銃器アセンブリとして特徴付けることができる。銃器アセンブリは、前床を有する銃器、銃器前床接続部、ピボットホルダー、２つの歯止め、及びスリングスタッド係止機構を備えることができる。銃器前床接続部は、前床の下面に接続するように構成することができ、ピボットホルダーを受け入れるように形成された垂直開口を有することができる。ピボットホルダーは、銃器前床接続部内の垂直開口内で垂直方向に摺動可能に移動するように成形されてもよい。２つの歯止めは、ピボットピンを介してピボットホルダーに回動自在に互いに連結されてもよい。スリングスタッド係止機構は、ピボットホルダーに螺合可能に連結され、スリングスタッド係止機構の回転を介して、ピボットホルダーを垂直方向に動かすように構成されてもよい。第１の方向における垂直開口内でのピボットホルダーの移動は、２つの歯止めを開かせ、第２の方向における垂直開口内でのピボットホルダーの移動は、２つの歯止めを閉じさせてもよい。
【００１２】
種々の目的と利点及び本開示のより完全な理解は、以下の詳細な説明及び添付図面と併せてとった場合の付属請求項を参照することによって明らかであり、より容易に理解される。
【図面の簡単な説明】
【００１３】
【図１】図１は、一般的な銃器前床に連結された本明細書に開示されたバイポッドの一実施形態の斜視図を示す；
【図２】図２は、一般的な銃器前床に連結された本明細書に開示されたバイポッドの実施形態の別の斜視図を示す；
【図３】図３は、図１及び２に示されるバイポッド上で使用され得る２つのフランジを示す；
【図４】図４は、図４は、フランジのないバイポッドの図を示す；
【図５】図５は、銃器アームのスリングスタッドと接続するバイポッドの詳細図を示す；
【図６】図６は、スリングスタッド留め具アセンブリ及びスリングスタッド係止機構の詳細を示す図である；
【図７】図７は、スリングスタッド留め具アセンブリ及びスリングスタッド係止機構の詳細及び分解図を示す図である；
【図８】図８は、スリングスタッドと単離されたピボットホルダー、ピボットピン、及び歯止めを示す図である；
【図９】図９は、図８に示す歯止め、ピボットピン、及びスリングスタッドの別の図を示す図である；
【図１０】図１０は、スリングスタッドが示されていない、開位置におけるスリングスタッド留め具アセンブリを示す；
【図１１】図１１は、閉位置において銃器スリングスタッドを把持するスリングスタッド留め具アセンブリを示す；
【図１２】図１２Ａは、スリングスタッド留め具アセンブリ内の歯止めの第１の位置を示す図であり；図１２Ｂは、スリングスタッド留め具アセンブリ内の歯止めの第２の位置を示す図であり；図１２Ｃは、スリングスタッド留め具アセンブリ内の歯止めの第３の位置を示す図である；
【図１３】図１３は、銃器前床接続部と、前記銃器前床接続部の後部から後方に延びるスリングスタッドの側面図を示す。
【図１４】図１４は、図１３における銃器前床接続部の左、上、後部の等角図を示す。
【発明を実施するための形態】
【００１４】
「例示的」という語は、本明細書では、「例示的、例えば、又は図示としての役割を果たす」ことを意味するために使用され、「例示的」として本明細書に記載される任意の実施形態は、必ずしも、他の実施形態よりも好ましい、又は有利と解釈されるとは限らない。
【００１５】
図１及び図２は、一般的な銃器前床（ｆｉｒｅａｒｍ  ｆｏｒｅｎｄ）１０１に結合された本明細書に開示されるバイポッドの実施形態の斜視図を示す。バイポッドは、種々の公知のインタフェースプラットフォーム（ｉｎｔｅｒｆａｃｅ  ｐｌａｔｆｏｒｍ）（例えば、Ｍ−ＬＯＫ、ＮＡＴＯレール、ピカティ）の１つを介して、選択的な傾斜で固定可能であって、旋回可能であって、ライフル等の銃器と接続する。脚部はまた、入れ子式にすることができ、また、折り畳まれた位置に格納され、銃器前床１０１付近の位置に、且つ銃身と平行に（例えば、展開された位置から大まかに９０°回転させて）戻すことができる。バイポッドは、筐体１０４に回転可能に連結された脚部１０２をさらに含むことができる。筐体１０４は、銃器前床接続部１０６に連結するピボットブロック１０７を含むことができる。この実施形態では、銃器前床接続部１０６は、スリングスタッドのプラットフォームを介して、銃器、銃器の鍔（ｈａｎｄｇｕａｒｄ）等に接続するように構成される。銃器前床接続部１０６の下方に配置されたスリングスタッド係止機構１１０は、第１の方向に回転して、スリングスタッドからバイポッドを緩め、バイポッドを銃器から取り外し可能にすることができる。スリングスタッド係止機構１１０を第２の方向に回転させることによって、バイポッドと銃器のスリングスタッドとの間を堅く締め付けて、バイポッドを銃器に固定することができる。銃器前床接続部１０６は、ピボットブロック１０７を介して筐体１０４に連結することができる。他の実施形態では、この結合は、異なる回転自由度（例えば、傾斜及び旋回の２例が挙げられる）を含むことができる。図示の実施形態では、筐体１０４と銃器前床接続部１０６との間の傾斜及び旋回を可能にする構造が示されているが、これらは開示の範囲を限定することを意図していない。
【００１６】
脚部１０２、筐体１０４、固定ノブ１０８、及びピボットブロック１０７は、特許文献８及び特許文献９に記載されているものと実質的に同じであり、それらの開示は、本書では、それら全体を参照して盛り込まれている。
【００１７】
図３〜図５は、前床１０１を図１のバイポッドに接続するために使用されたスリングスタッド等のスリングスタッドに接続されたスリングスタッド留め具アセンブリ１１２を示す。スリングスタッド留め具アセンブリ１１２は、銃器前床接続部１０６内の開口１１４内に配置され、銃器前床接続部１０６の前部張出し部分の下方のスリングスタッド係止機構１１０（例えば、回転ノブ）に回転可能に結合され、これによって制御される。図１０及び１１は、同じ断面を示す。図３〜図５は、銃器があると視界から隠されるバイポッドの部分を見やすくするために、銃器を除外する。しかしながら、銃器のスリングスタッド１２０は、スリングスタッド留め具アセンブリ１１２（「閉じた」又は「固定された」位置又は状態で示されている）との相互関係を図示するために図示される。スリングスタッド留め具アセンブリ１１２は、銃器前床接続部１０６内の開口１１４を通して配置される（この開口は、図１０及び１１においてより容易に見ることができる）。開口１１４は、銃器前床接続部１０６を通って銃器前床接続部１０６の上部から底部まで延在することができ、スリングスタッド留め具アセンブリ１１２は、この開口１１４を通過して、スリングスタッド係止機構１１０に（例えば、ねじ係合を介して）結合することができる。例えば、スリングスタッド係止機構１１０は、スリングスタッド留め具アセンブリ１１２への回転式の結合を形成することができる（スリングスタッド係止機構１１０は回転することができ、これによって、スリングスタッド留め具アセンブリ１１２を上下に移動させる）。スリングスタッド係止機構１１０は、固定位置に向かって（例えば、第１の方向への回転を介して）動かし、スリングスタッド留め具アセンブリ１１２を開位置から閉位置に移動させ、それによって銃器スリングスタッド１２０上に固定することができる。この動きは、付勢部品（ｂｉａｓｉｎｇ  ｃｏｍｐｏｎｅｎｔ）１４２及び戻り止め（ｄｅｔｅｎｔ）１４４によって生じる、スリングスタッド留め具アセンブリ１１２への付勢を克服し、スリングスタッド留め具アセンブリ１１２を閉位置に向かわせることができる。例えば、スリングスタッド係止機構１１０の第１の方向への回転は、スリングスタッド留め具アセンブリ１１２（図６〜図１２参照）のスプリング付勢された一対の歯止め１３２、１３４をピボット軸１３６（図７参照）の周りに内側に閉じさせ、或いは回転させることができる。回転は、特にねじ式係合を介した回転は、歯止め１３２、１３４を銃器スリングスタッド１２０と接触していない開位置に向かって付勢する付勢部品１４２からの付勢を克服できる大きなトルクをもたらすことができる。歯止め１３２、１３４の開閉を説明するさらなる詳細は、図１０〜１２において見ることができる。
【００１８】
いくつかの実施形態では、銃器前床接続部１０６は、２つの構成要素、すなわち、軟質フランジ（図４には示されていないが、図３及び１０〜１１では１１５として見える）と、取付プレート１１６（図４及び１０〜１１に示されている）とを備えることができる。取付プレート１１６は、軟質フランジ１１５の下面に結合することができ、銃器前床接続部１０６をバイポッドの残りの部分（例えば、ピボットブロック１０７）にインターフェース接続することができる。場合によっては、取付プレート１１６は、バイポッドハウジングに対するカント移動（すなわち、銃器銃身の縦軸と平行な軸の周りの回転）のための構造を含むことができる。
【００１９】
図５は、取付プレート１１６の別の図を示すが、軟質フランジ１１５は取り外されている。
【００２０】
図３はまた、銃器前床接続部１０６の２つの変形例、すなわち、より広い軟質フランジ１１５ａ（左側）を有する変形例と、より狭い軟質フランジ１１５ｂ（右）を有する変形例とを示す。これら及び他の銃器前床接続部１０６は、銃器前床の異なるサイズ及び形状に適応することができ、限定されない。軟質フランジ１１５は、ゴム、布、ポリマー、又はバイポッドが取り付けられている小銃の前床を傷つけ難い他の任意の材料（例えば、木製前床）から形成することができる。
【００２１】
図６は、スリングスタッド留め具アセンブリ１１２及びスリングスタッド係止機構１１０の詳細を示す。左図は、開位置におけるスリングスタッド留め具アセンブリ１１２を示す。右図は、閉位置におけるスリングスタッド留め具アセンブリ１１２を示し、銃器スリングスタッド１２０に固定されている。また、スリングスタッド係止機構１１０は、スプリング付勢された第１の歯止め１３２と、スプリング付勢された第２の歯止め１３４とを含んでもよく、これらはともに、銃器銃身の長手方向軸に対して平行なピボット軸１３６に沿って通過するピボットピン１３８を介して、ピボットホルダー１２４に回転自在に連結されている。スプリング付勢された歯止め１３２、１３４は、それぞれ、歯止め１３２、１３４が銃器スリングスタッド１２０上で閉じるときに、銃器スリングスタッド１２０内の開口の対向する側に入るように形作られた突起部１２２、１２３を含むことができる。ピボットホルダー１２４はまた、ねじを切った下側部分１２６、円筒状上側部分１２８、及び円筒状上側部分１２８内の歯止め保持凹部１３０（図７参照）を含むことができる。歯止め保持凹部１３０は、歯止め１３２、１３４の両方の少なくとも一部を受け入れるように形作られ、寸法決めすることができる。円筒状上側部分１２８の外径は、スリングスタッド係止機構１１０を通る外側ロック開口１４８の内径よりも同様の（又はちょうどよりも小さい）直径を有することができる。これにより、円筒状上側部分１２８が外側ロック開口１４８内で垂直にスライドすることが可能になる。ピボット軸１３６及びピボットピン１３８は、歯止め１３２、１３４、ピボットホルダー１２４の円筒状上側１２８、及び歯止め保持凹部１３０を通過することができる。従って、スリングスタッド係止機構１１０が回転されると、その内ネジは、ネジ付き下部１２６の外ネジと接続し、ピボットホルダー１２４を外側ロック開口１４８内で上方又は下方に移動させる。この動きによって、ピボットピン１３８がピボットホルダー１２４と共に引っ張られ、これによって歯止め１３２、１３４が上下に引っ張られ、歯止め１３２、１３４の開閉が引き起こされる。
【００２２】
スリングスタッド留め具アセンブリ１１２の緩み及び締め付けは、図１０〜図１２に最もよく見られる。特に、図１０における断面は、スリングスタッド留め具アセンブリ１１２を図示のスリングスタッドなしの開位置で示し、図１１は、スリングスタッド留め具アセンブリ１１２を閉位置で示し、銃器スリングスタッド１２０を把持する。スプリング付勢された歯止め１３２、１３４の一方又は両方は、不規則な底面を含むことができ、ピボットホルダー１２４が開口１１４内を移動するときに、この不規則な底面の異なる部分が、戻り止め１４４に存在し、接触する。次に、この接触は、歯止め１３２、１３４に加えられる異なるトルクをもたらす。より具体的には、不規則な表面は、爪部（ｐａｗｌ  ｄｅｔｅｎｔ）１４６及び溝部（ｐａｗｌ  ｇｒｏｏｖｅ）１４７の一方又は両方を含むことができる。爪部１４６及び溝部１４７の両方は、曲面を含んでもよく、溝部１４７は、爪部１４６よりもピボット軸１３６に近づけることができる。換言すれば、爪部１４６からピボット軸１３６までの第１の半径は、溝部１４７からピボット軸１３６までの第２の半径よりも大きくすることができる。しかし、爪部１４６及び／又は溝部１４７は、同様に１つ以上の直線面、又は斜めの端、角又は凹凸で繋げられた１つ以上の直線面を含むことができる。爪部１４６は、各歯止め１３２、１３４の外側に向かって配置することができる。戻り止め１４４は、スプリング付勢された歯止め１３２、１３４が、戻り止め１４６（図１２Ａ参照）の内側と同様に、開位置にあるときに、溝部１４７と相互に接触することができ、歯止め１３２、１３４が閉位置にあるときに、爪部１４６とのみ相互に接触することができる（図１２Ｃ参照）。
【００２３】
図１２は、開（図１２Ａ）から閉（図１２Ｃ）までの３段階における歯止めの開閉を示す。開位置において、溝部１４７は戻り止め１４４の頂部に接触し、戻り止め１４４は、図１２に示される３つの段階の最上位置にある。ここで歯止め１３２、１３４は、下向きの圧力があったとしても、溝部１４７を介して戻り止め１４４の上部に圧力をほとんど加えない。戻り止め１４４は、部分的に垂直開口１４０内に、部分的に歯止め保持凹部１３０内に配置することができる。戻り止め１４４の下面と垂直開口１４０の下面との間で、付勢部品１４２（例えば、バネ）を垂直開口内に配置することもできる。しかし、付勢部品のこの位置は限定されない。この付勢部品１４２は、戻り止め１４４を歯止め１３２、１３４に向かって上方に押し上げるバイアス（ｂｉａｓ）を戻り止め１４４に加えることができる。ノブ１１０、ピボットホルダー１２４、及び垂直開口１４０は、全て、スリングスタッドの中心を通る共通軸に沿って整列させることができる（図８に最もよく見られる通りである）。この軸はまた、戻り止め１４４を通過することができ、戻り止め１４４は、この軸に沿って上下に移動することができる。
【００２４】
具体的には、スリングスタッド係止機構１１０が第１の方向に回転されると、ピボットホルダー１２４のねじ部１２６は、スリングスタッド係止機構１１０の内ねじと螺合し、このような接続によって、ピボットホルダー１２４が下方に引っ張られる。ピボットホルダー１２４の下方への移動は、ピボットピン１３８を下方に移動させ、これに伴って、スプリング付勢された１３２、１３４（図１２Ｂ参照）が下方へ移動する。スプリング付勢された歯止め１３２、１３４がピボットホルダー１２４と共に下方に引っ張られると、歯止め１３２、１３４の側面は、取付プレート１１６内の開口１１４の縁部と接触し、これによって、歯止め１３２、１３４が次第に内側に押し込まれる。同時に、歯止め１３２、１３４が回転すると、爪部１４６はピボット軸１３６に対して下向きに旋回し、戻り止め１４４の頂部に接続して押し下げ始める。これにより、付勢部品１４２が圧縮され、戻り止め１４４上の上向きバイアス（ｕｐｗａｒｄ  ｂｉａｓ）が増加し、それにより、（歯止め１３２、１３４が閉位置に向かって内側に旋回し続けるときであっても）爪部１４６への付勢が増加する。言い換えれば、歯止め１３２、１３４が閉じられるにつれて、これら歯止めへの付勢が増加して開く。
【００２５】
スリングスタッド係止機構１１０が第１の方向に回転し続けると、ピボットホルダー１２４は、歯止め１３２、１３４をさらに内側に引いて、それらをスリングスタッド（図示せず）内の水平開口内に締め続け、図１２Ｃにおいて完全に閉位置に到達し、バイポッドがスリングスタッド、従って銃器に固定されるまで、それらを下降し続ける。
【００２６】
図１２Ｃの閉位置から、スリングスタッド係止機構１１０を第２の方向に回転させて、ピボットホルダー１２４を上方に移動させることができる。この角度において、爪部１４６が溝部１４７よりもシステム内で下側に位置するので、ピボットホルダー１２４の上方への移動によって、戻り止め１４４がどのようにして爪部１４６に最初に接触するかを理解することができる。この上方への移動が続くと、戻り止め１４４は爪部１４６の角度のついた側に接触し、歯止め１３２、１３４が上方へ移動し、開口１１４の頂部を通過するにつれて、歯止め１３２、１３４を外方へ旋回させる（又は開き始める）ことができる。この外側への旋回は、歯止め戻り止め１４６上の戻り止め１４４からの上方への圧力（歯止め１３４の場合、図１１の時計回り）によって引き起こされ得る。ピボットホルダー１２４がさらに上昇し、歯止め１３２、１３４が開口１１４の頂部からさらに離れるにつれて、戻り止め１４４は、歯止め１３２、１３４が図１２Ａに示される位置に到達するまで、スプリング付勢された歯止め１３２、１３４を開位置に向かって押し続ける。ここで、付勢部品１４２は、戻り止め１４４上に上向きバイアスが残るように、依然として何らかの圧縮下のままであってもよいが、図１２における３つの図に関して最大伸長になっている。
【００２７】
各歯止め１３２、１３４の底部外側端は、図１０及び１２Ａに最もよく見られるように、歯止め１３２、１３４が完全に開いたときに、ピボットホルダー１２４の上部と整列する角度を付けられた表面を含んでもよい。これらの傾斜面は、歯止め１３２、１３４の過大な延長を防止できる（すなわち、過度の外方旋回を防止する）。例えば、図１２Ａでは、歯止め１３２、１３４は、それ以上外側に旋回することができない。いくつかの実施形態では、歯止め１３２、１３４のうちの１つのみが、底部外側端にこの角度の付いた表面を含むことができる。
【００２８】
図１０〜１２は、爪部１４６及び溝部１４７を含み得る、戻り止め１４４に対する特定の不規則な底面を示すが、回転バイアス（又はトルク）がピボットホルダー１２４の垂直運動の範囲全体にわたって歯止め１３２、１３４上に維持される限り、他の不規則な表面も実装することができる。
【００２９】
図７〜図１２では、単一の爪部１４６及び溝部１４７のみが見えるが、他の歯止めは、その爪部１４６及び溝部１４７も含んでもよいし、含まなくてもよい。歯止め１３２、１３４のいずれか又は両方の底面は、図全体を通して示されるように、不規則なものとして記述することができる。
【００３０】
クレビス（ｃｌｅｖｉｓ）１２５（図７参照）は、スリングスタッド係止機構１１０が第２の方向（例えば、緩み方向）に回転するときに、スリングスタッド留め金具アセンブリ１１２とスリングスタッド係止機構１１０とが脱離して分離するのを防止することができる。図１０及び図１１は、本開示の範囲から逸脱することなく、他のサイズ及び形状の軟質フランジを実装することができるが、図３の左側に示されるより広い軟質フランジ１１５ａを示す（例えば、より狭い軟質フランジ１１５ｂ）。
【００３１】
図８は、スリングスタッド１２０と単離している、ピボットホルダー１２４、ピボットピン１３８、及び歯止め１３２、１３４を示す。歯止め１３２、１３４は開位置にあるが、突起部１２２、１２３がどのように整列されて、スリングスタッド１２０を通して水平開口に入るかを見ることができる。
【００３２】
図９は、図８に示す歯止め１３２、１３４、ピボットピン１３８、及びスリングスタッド１２０の別の図を示す。
【００３３】
戻り止め１４６及び溝部１４７は、スプリング付勢された歯止め１３２、１３４と戻り止め１４４との接触構造の単なる一例であり、他の接触もまた、本開示の範囲から逸脱することなく考えられることを理解されたい。さらに、戻り止め１４４は球として示されているが、他の実施形態では、円筒状プランジャ又は湾曲した成分も実装することができる。別の実施形態では、戻り止め１４４の一部は、湾曲した又は球形であってもよく、別の部分は、円筒形であってもよい（例えば、下側部分、円筒形であってもよく、上側部分、湾曲されてもよい）。例えば、戻り止め１４４は、「弾丸」形状を有することができる。
【００３４】
付勢構成要素の非限定的な例は、圧縮ばね、円錐ばね、コイルばね、板ばね、ディスク又はベルビルばね、銃身ばね、楕円螺旋ばね、渦巻ばね、及び空気圧プランジャを含む。戻り止め１４４の非限定的な例は、湾曲した又は球状の戻り止め、円筒状の戻り止め、及び尖った戻り止めを含む。
【００３５】
図１３は、銃器前床接続部１０６と、前記銃器前床接続部１０６の後部から後方に延びるスリングスタッド１３０２の側面図を示す。図１４は、銃器前床接続部１０６の左、上、後部の等角図を示す。スリングスタッド１３０２は、銃身の長手方向軸に平行に後方に延びるように示されているが、他の実施形態では、銃器スリングスタッド１２０に対して斜めの任意の角度を使用することができ、スリングスタッド１３０２は、銃器前床接続部１０６の他の部分に配置できる。しかしながら、銃器前床、バイポッド脚部１０２、及びスリングスタッド係止機構１１０の位置を考慮するだけでなく、スリングも銃器の後部に向かって取り付け具に結合されることを考慮すると、スリングスタッド１３０２用の後方位置は、スリングからの張力との最適な調整だけでなくユーザーの利用にとって最適であってもよい。
【００３６】
本明細書で使用されるように、「Ａ、Ｂ及びＣのうちの少なくとも１つ」の表記は、「Ａ、Ｂ、Ｃ、又はＡ、Ｂ及びＣのいずれかの組合せ」を意味することを意図しており、開示される実施形態の前述の説明は、当業者が本開示を行うか、又は使用することを可能にするために提供される。これらの実施形態に対する様々な改変は、当業者には容易に明らかであり、本明細書に定義される一般的原理は、開示の精神又は範囲から逸脱することなく、他の実施形態に適用されてもよい。したがって、本開示は、本明細書に示される実施形態に限定されるものではなく、本明細書に開示される原理及び新規な特徴と一致する最も広い範囲に従うことが意図される。
【図１】
2021524573.tif 000003
【図２】
2021524573.tif 000004
【図３】
2021524573.tif 000005
【図４】
2021524573.tif 000006
【図５】
2021524573.tif 000007
【図６】
2021524573.tif 000008
【図７】
2021524573.tif 000009
【図８】
2021524573.tif 000010
【図９】
2021524573.tif 000011
【図１０】
2021524573.tif 000012
【図１１】
2021524573.tif 000013
【図１２Ａ】
2021524573.tif 000014
【図１２Ｂ】
2021524573.tif 000015
【図１２Ｃ】
2021524573.tif 000016
【図１３】
2021524573.tif 000017
【図１４】
2021524573.tif 000018
【国際調査報告】
2021524573.tif 000019